(57)【要約】【課題】  特に組み立て作業がし易く、ボタンを簡単に回転させることができる剪定鋏を提供する。【解決手段】  一対の柄部と、前記柄部にそれぞれ連結されると共に、第一刃部及び第二刃部を備える一対の刃部と、前記一対の刃部を貫通するように枢設され、該各刃部を通って第一刃部の外側から突出するボルトと、該第一刃部上に枢設される弾性部材と、該ボルトに螺合されるナットと、該ナットの周りに設けられると共に、該弾性部材に当接されるナットカバーとを備え、その内、該弾性部材は、該ナットカバーを収容するための収容孔と、該収容孔の内部に位置すると共に、該ボルトに環装される位置決め環部と、凸部とを備え、該ナットカバーの弾性部材側に該凸部に係合される複数の凹部が形成される調整装置とを有することを特徴とする。【選択図】  図２
0003168579.tif 000002
【実用新案登録請求の範囲】
【請求項１】
一対の柄部と、
前記柄部にそれぞれ連結されると共に、第一刃部及び第二刃部を備える一対の刃部と、
前記一対の刃部を貫通するように枢設され、該各刃部を通って第一刃部の外側から突出するボルトと、該第一刃部上に枢設される弾性部材と、該ボルトに螺合されるナットと、該ナットの周りに設けられると共に、該弾性部材に当接されるナットカバーとを備え、その内、該弾性部材は、該ナットカバーを収容するための収容孔と、該収容孔の内部に位置すると共に、該ボルトに環装される位置決め環部と、凸部とを備え、該ナットカバーの弾性部材側に該凸部に係合される複数の凹部が形成される調整装置とを有することを特徴とする剪定鋏。
【請求項２】
前記ナットカバーが前記位置決め環部に当接されることを特徴とする請求項１に記載の剪定鋏。
【請求項３】
前記ナットカバーの外周面に内弧状を呈する複数の握持部が形成されることを特徴とする請求項１又は２に記載の剪定鋏。
【請求項４】
前記弾性部材は、前記第一刃部に当接されるベースと、該ベースに連結されると共に、一側に向かって湾曲する当接部とを備え、
前記当接部に前記収容孔及び凸部が形成され、
前記位置決め環部は、該ベースから延出するように一体成形されることを特徴とする請求項１ないし３の何れか１項に記載の剪定鋏。
【考案の詳細な説明】
【技術分野】
【０００１】
本考案は、特に枝を切り落とす時に用いる剪定鋏に関するものである。
【背景技術】
【０００２】
図７示すように、既存の剪定鋏は、一対の柄部７０と、該柄部７０にそれぞれ連結される一対の刃部８０と、該刃部８０に貫設される調整装置９０とを有し、該刃部８０は、第一刃部８１と、第二刃部８２とを備え、該調整装置９０は、刃部８０に貫設されると共に、該第一刃部８１側から突出するボルト９１と、該第一刃部８１に枢設される弾性部材９２と、該ボルト９１に螺合されるナット９３と、該ナット９３の周りを囲うように設けられるナットカバー９４とを備え、その内、該弾性部材９２にナットカバー９４の環状縁部９４１が収容孔９２１に嵌め込まれ、この構成により、組み立てる時に左右への揺れを防ぎながら、弾性部材９２を位置決めすることができる。
【先行技術文献】
【特許文献】
【０００３】
【特許文献１】特開２００４−２４２１７号公報
【考案の概要】
【考案が解決しようとする課題】
【０００４】
しかしながら、前記既存の剪定鋏においては、ナット９３がボルト９１に螺合される時、環状縁部９４１はまだ収容孔９２１に嵌め込まれていなく、弾性部材９２が左右に揺れ動くことから、部材の組み立てが難しくなり、作業に手間がかかるといった問題があったので、改良する必要があった。
【課題を解決するための手段】
【０００５】
本考案の請求項１は、一対の柄部と、
前記柄部にそれぞれ連結されると共に、第一刃部及び第二刃部を備える一対の刃部と、
前記一対の刃部を貫通するように枢設され、該各刃部を通って第一刃部の外側から突出するボルトと、該第一刃部上に枢設される弾性部材と、該ボルトに螺合されるナットと、該ナットの周りに設けられると共に、該弾性部材に当接されるナットカバーとを備え、その内、該弾性部材は、該ナットカバーを収容するための収容孔と、該収容孔の内部に位置すると共に、該ボルトに環装される位置決め環部と、凸部とを備え、該ナットカバーの弾性部材側に該凸部に係合される複数の凹部が形成される調整装置とを有することを特徴とする剪定鋏を提供する。
【０００６】
本考案の請求項２は、前記ナットカバーが前記位置決め環部に当接されることを特徴とする請求項１に記載の剪定鋏を提供する。
【０００７】
本考案の請求項３は、前記ナットカバーの外周面に内弧状を呈する複数の握持部が形成されることを特徴とする請求項１又は２に記載の剪定鋏を提供する。
【０００８】
本考案の請求項４は、前記弾性部材は、前記第一刃部に当接されるベースと、該ベースに連結されると共に、一側に向かって湾曲する当接部とを備え、
前記当接部に前記収容孔及び凸部が形成され、
前記位置決め環部は、該ベースから延出するように一体成形されることを特徴とする請求項１ないし３の何れか１項に記載の剪定鋏。
【考案の効果】
【０００９】
本考案に係る剪定鋏は、上記の課題を解決するものであり、下記の効果を提供することができる。
１．組み立てが容易：弾性部材の収容孔の内部に、ボルトに環装される位置決め環部が設けられ、該位置決め環部は、ボルトの外径よりやや大径のものであることから、その位置決め環部を環装することにより、弾性部材が左右に揺れないように、所定の箇所に維持させることができるので、組み立て作業の利便性向上させることができる。
２．前記位置決め環部はワッシャーとして機能することができる。
３．ナットカバーが回転する：ナットカバーの外周面に弧状を呈する複数の握持部が形成される構成であることから、握持部を簡単に回転させることができるので、使用上、非常に便利である。
【図面の簡単な説明】
【００１０】
【図１】本考案に係る剪定鋏の部分拡大斜視図である。
【図２】図１の部分分解斜視図である。
【図３】本考案に係る剪定鋏の弾性部材の拡大斜視図である。
【図４】本考案に係る剪定鋏における弾性部材の正面図である。
【図５】図１におけるナットカバーを取り外す状態を示す部分正面断面図である。
【図６】図１における部分側面断面図である。
【図７】既存の剪定鋏の部分分解斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１に示すように、本考案に係る剪定鋏は、一対の柄部１０と、一対の刃部２０と、調整装置３０とを有する。
【００１３】
図１及び図２に示すように、前記刃部２０はそれぞれ、柄部１０に設けられる第一刃部２１及び第二刃部２２を備える。
【００１４】
図３乃至図６に示すように、前記調整装置３０は、前記一対の刃部２０を貫通するように枢設され、ボルト３１と、弾性部材３２と、ナット３３と、ナットカバー３４とを有するものであり、その内、ボルト３１は、該一対の刃部２０を通って第一刃部２１の外側から突出するものである。
【００１５】
前記弾性部材３２は、前記第一刃部２１に当接されるベース３２１と、該ベース３２１に連結されると共に、一側に向かって湾曲する当接部３２２と、該当接部３２２に穿設される収容孔３２３と、該当接部３２２の上部周縁に設けられる凸部３２４と、該ベース３２１から延出するように一体成形される位置決め環部３２５とを備える。
【００１６】
更に、前記位置決め環部３２５は、前記収容孔３２３の内部に位置すると共に、前記ボルト３１に環装され、この構成によれば、前記ナットカバー３４を備えたナット３３を前記ボルト３１に螺合する時、前記弾性部材３２を左右に揺らさずに、前記ナット３３とナットカバー３４との組み立てを容易に行うことができる。
【００１７】
また、前記上部にナットカバー３４が設けられるナット３３はボルト３１に螺合されると共に、前記弾性部材３２の位置決め環部３２５に当接される。また、前記弾性部材３２は、収容孔３２３を介してナットカバー３４を収容する。前記ナットカバー３４における、前記弾性部材３２側の面に、前記凸部３２４に係合される複数の凹部３４１が形成されることから、前記凸部３２４は常に該凹部３４１に係合される状態であり、前記ナットカバー３４を所定の箇所まで回転させれば、ナットカバー３４を位置決められるので、使用者が不注意でナットカバー３４を触ってもナットカバー３４が回転することはない。
【００１８】
さらに、前記ナットカバー３４は、その外周面に内弧状を呈する複数の握持部３４２が形成されるので、ナットカバー３４を掴んで簡単に回転させることができる。
【００１９】
本考案に係る剪定鋏におけるナット３３は、進退可能にボルト３１に螺合されることから、前記ナットカバー３４の凹部３４１における、弾性部材３２の凸部３２４への押圧力を少し調整することが可能であるので、前記第一刃部２１と第二刃部２２との間の距離を少し調整することができる。また、前記ナットカバー３４が位置決め環部３２５に当接されている時、その位置決め環部３２５は、ワッシャーの役目を有することが好ましい。
【産業上の利用可能性】
【００２０】
本考案は上記の構成を有することから、組み立て作業がし易く、また、ナットカバーの外周面に内弧状を呈する複数の握持部が形成されるので、ボタンを簡単に回転させることができる。
【符号の説明】
【００２１】
１０  柄部
２０  刃部
２１  第一刃部
２２  第二刃部
３０  調整装置
３１  ボルト
３２  弾性部材
３２１  ベース
３２２  当接部
３２３  収容孔
３２４  凸部
３２５  位置決め環部
３３  ナット
３４  ナットカバー
３４１  凹部
３４２  握持部
７０  柄部
８０  刃部
８１  第一刃部
８２  第二刃部
９０  調整装置
９１  ボルト
９２  弾性部材
９２１  収容孔
９３  ナット
９４  ボタン
９４１  環状縁部
【図１】
0003168579.tif 000003
【図２】
0003168579.tif 000004
【図３】
0003168579.tif 000005
【図４】
0003168579.tif 000006
【図５】
0003168579.tif 000007
【図６】
0003168579.tif 000008
【図７】
0003168579.tif 000009